(57)【要約】【課題】炭酸ガス供給装置を接続する必要のない、小型化された炭酸ガス治療具を提供する。【解決手段】炭酸ガス治療具１は、多孔質材料で構成される炭酸ガス保持体４をカバー３で被覆している。カバー３は、炭酸ガス保持体４を収納する収納部３ａと収納部３ａの周辺に設けられる接着部３ｂとを備えて、炭酸ガス治療具１は、患部に炭酸ガス保持体４が対向している状態を維持するよう、接着部３ｂで皮膚に貼り付けられる。炭酸ガス保持体４は、細孔から患部に炭酸ガスを放出して、患部には炭酸ガスが経皮吸収される。【選択図】図２
2019166318.tif 000002
【特許請求の範囲】
【請求項１】
生体に皮膚から炭酸ガスを吸収させる炭酸ガス治療具であって、
前記皮膚に貼り付く接着部を有するカバーと、
前記皮膚に面するよう前記カバーに被覆されるパッドと、
前記パッドに設けられて細孔に炭酸ガスを含む多孔質材料で構成される炭酸ガス保持体と、
を備え、
前記炭酸ガス保持体から放出される炭酸ガスを前記皮膚に接触させることを特徴とする炭酸ガス治療具。
【請求項２】
前記多孔質材料は金属繊維を素材とする多孔性金属錯体であることを特徴とする請求項１に記載の炭酸ガス治療具。
【請求項３】
前記多孔質材料は鉄の繊維を素材とする多孔性金属錯体で構成されて、前記パッドは、酸化反応への反応助剤を含むことを特徴とする請求項２に記載の炭酸ガス治療具。
【請求項４】
前記パッドは、鉄粉の酸化作用で発熱するシート状の発熱体を備えることを特徴とする請求項１乃至３の何れかに記載の炭酸ガス治療具。
【請求項５】
前記カバーは、前記皮膚と前記炭酸ガス保持体との間に保湿のための空間部が形成された状態で前記皮膚に貼り付くことを特徴とする請求項１乃至３の何れかに記載の炭酸ガス治療具。
【発明の詳細な説明】
【技術分野】
【０００１】
本発明は、炭酸ガスを生体の皮膚及び粘膜に直接接触させる炭酸ガス治療具に関する。
【背景技術】
【０００２】
従来から、炭酸ガス（二酸化炭素：ＣＯ２）は生体の皮膚及び粘膜に触れさせることにより生体の皮下や粘膜下に浸透し、浸透部位の血管を拡張させて血液循環を改善する作用があることが知られている。そしてこの血管拡張作用と血行促進作用等により、血圧降下、代謝の改善、疼痛物質や老廃物の排除促進等、様々な生理的効果を発揮する。また、血行促進作用により、皮膚や粘膜の正常化、抗炎症、抗菌作用も有している。このため、近年、炭酸ガスは医療目的のほか、健康増進、美容促進といった点からも広く注目を集めている。
【０００３】
生体の組織中で二酸化炭素は、赤血球内のヘモグロビンに結合して運ばれた酸素を放出させる働きがある。二酸化炭素濃度の高いところでは、赤血球はより多くの酸素を放出する。このように、赤血球による細胞への酸素の供給は、主に二酸化炭素がコントロールしている。つまり、二酸化炭素なしでは、ヘモグロビンは酸素が結合したままの状態となり、細胞は酸素を受け取ることができなくなってしまう。このように、二酸化炭素は、細胞の活動の結果出てくる老廃物のように思われがちだが、実は体の中で非常に重要な役割を果たしていることから、怪我、壊疽、凍傷などの治療にも二酸化炭素が用いられてきた。
【０００４】
怪我、壊疽、凍傷などの治療などでは、患部を局所的に覆って炭酸ガスを経皮吸収させる方法が一般的に採用されている。そして、炭酸ガスを生体の比較的狭い局所において吸収させるための技術としては、これまでに以下のようなものが開示されている。
（１）密閉可能な簡易カバーを人体の局所に装着し、その簡易カバー内に炭酸ガスを導入して炭酸ガス浴を行う装置（例えば、特許文献１参照）。
（２）密閉可能な容器に人体の局所を挿入（あるいは、密閉可能な容器を人体の局所に装着）し、その容器内に炭酸ガスを導入して炭酸ガス浴を行う装置（例えば、特許文献２参照）。
（３）袋体や筒状体、一部開口を有する容器等からなる密閉包囲材を人体の局所に装着し、炭酸ガスの経皮吸収を助ける吸収補助材を封入して密閉包囲材内を密閉し、その密閉包囲材内に炭酸ガスを導入して炭酸ガス浴を行う装置（例えば、特許文献３参照）。
（４）二酸化炭素等の加圧ガスを送達導管から患者インターフェースへ流動させるために、中央オリフィスの環状表面に設けた加圧ガスを雰囲気へ放出するために、多孔性材でなる拡散部材を備える呼吸圧力治療のための通気アダプタ（例えば、特許文献４参照）。
（５）ガス貯留部から供給される炭酸ガスを多孔性のガス吐出部から分割された状態で吐出するようにした美容機器（例えば、特許文献５参照）。
【先行技術文献】
【特許文献】
【０００５】
【特許文献１】特開平０７−１７１１８９号公報
【特許文献２】特開２００７−２５２８７１号公報
【特許文献３】再公表特許ＷＯ２００４／００２３９３号公報
【特許文献４】特表２０１８−５３１１２４号公報
【特許文献５】特開２０１７−０８６２１３号公報
【発明の概要】
【発明が解決しようとする課題】
【０００６】
しかしながら、上記の公知文献１乃至３に記載された従来の炭酸ガス浴のための装置は、炭酸ガスを封入する容器や袋体の中に外部から炭酸ガスを導入するために、炭酸ガスボンベ等の炭酸ガス供給装置を接続しなければならず器具が大型化し、患者の自由な行動の妨げとなって使い勝手の悪いものとなっている。しかも、装置を実用化するためには使用者の様々な体型に対応できるように、容器や袋体等にある程度の余裕を持たせるように、容器や袋体等の容積をある程度大きくすると炭酸ガスを大量に消費してしまうという問題があった。また、容器や袋体等は閉じられた空間を形成するために、小型のものでもそれ自体の容量が大きくなり多量の炭酸ガスが必要となる。
【０００７】
また、上記の公知文献４及び公知文献５は、多孔性材を単に、流量・圧力の調整部材、気体の流路におけるフィルタ部材若しくは気体の拡散部材として利用するだけであって、大量の気体を含有したガス貯蔵体としての多孔性材から、気体を徐々に放出させてこれを利用するものではなかった。
【０００８】
本発明は、上記従来の問題点に鑑みて、炭酸ガス供給装置を接続する必要がなく且つ、小型化された炭酸ガス治療具を提供することを目的とする。
【課題を解決するための手段】
【０００９】
本発明は、生体の皮下から炭酸ガスを生体内に吸収させる炭酸ガス治療具であって、前記皮膚に貼り付く接着部を有するカバーと、前記皮膚に面するよう前記カバーに被覆されるパッドと、前記パッドに設けられて細孔に炭酸ガスを含む多孔質材料で構成される炭酸ガス保持体と、を備え、前記炭酸ガス保持体から放出される炭酸ガスを前記皮膚に接触させることを特徴とする。
【００１０】
このとき、前記多孔質材料が、例えば多孔性金属錯体であれば、炭酸ガス保持体を作製する過程で、細孔構造・比表面積・形態などを人為的に設計可能であるため、二酸化炭素等のガスの吸着量を向上させることができる。
【００１１】
さらに、多孔性金属錯体を、金属繊維を素材にして形成する場合、或る実施形態においては、鉄の繊維を素材とする多孔性金属錯体で構成し、前記パッドには酸化反応への反応助剤を添加する。これにより、炭酸ガス保持体は炭酸ガスの放出機能に加えて、鉄の酸化による温熱により患部を温める機能を有することになる。温熱により患部の血行が良くなることで、炭酸ガスが赤血球内のヘモグロビンに結合して運ばれた酸素を効果的に放出させるため、治療効果が向上する。
【００１２】
このように温熱効果も備える炭酸ガス治療具の別の実施形態としては、前記パッドに鉄粉の酸化作用で発熱するシート状の発熱体を設けてもよい。
【００１３】
さらに、別の実施形態においては、前記カバーを皮膚と炭酸ガス保持体との間に空間部を存して前記皮膚に貼り付く構成とする。空間部を設けることで、患部を保湿する効果がある。
【発明の効果】
【００１４】
本発明に依れば、炭酸ガスを多孔質材料の多数の細孔で保持することで、外部に炭酸ガス発生器を備えることが無い。しかも、パッドを貼り付けることで炭酸ガスを皮膚に浸透させる構成のため、容器や袋体等の閉じた空間を形成する部材を必要としない。そして、本発明に係る炭酸ガス治療具は以下の種々の作用効果を奏するのである。
（１）ボンベ内の内圧が高くなく、ボンベを炭素繊維強化プラスチック等にできるので、軽量、持ち運び容易、安全（爆発／破裂の危険性がない）であり、安心して医療機関や家庭内で使用できる。
（２）収容されているガス又はガスミストのボンベからの噴出圧力が高くないので、圧力制御機構（レギョレータ等）の複雑な機構が必要ない。
（３）ボンベ内から噴出するガス又はガスミストの粒径が、そのままで、ナノサイズであり、ガスミスト等の細粒子化のための機構が必要ない。ナノサイズのガスやガスミストは、皮膚への浸透性が極めて優れている。
（４）ボンベ内にガスを高気圧で圧縮保存しそれを一気に大気圧環境下に吹き出す方式ではないことから、ガス又はガスミストの急激な冷却効果は生ぜず、体温で保存されたガス若しくはガスミストが、噴出後にその温度を大幅に低下させることがない。
【図面の簡単な説明】
【００１５】
【図１】本発明の炭酸ガス治療具の斜視図を示す。
【図２】図１のＡ−Ａ断面図を示す。
【図３】炭酸ガス保持体の斜視図を示す。
【図４】発熱体の構成を一部断面の側面図で示す。
【発明を実施するための形態】
【００１６】
図１は、本発明の実施の形態に係る炭酸ガス治療具１の構成を示す斜視図である。図２は、図１におけるＡ−Ａ線に沿った炭酸ガス治療具１の断面図である。炭酸ガス治療具１は、パッド２を通気性を有するフィルム部材で構成されるカバー３で覆って構成されている。
【００１７】
パッド２は、それぞれ偏平状の炭酸ガス保持体４と、発熱体５とを接着層６を介して上下に重ねて構成されている。炭酸ガス保持体４は、図３に示すように、多数の細孔を有する多孔質材料で構成されて、細孔に炭酸ガスを取り込んで保持する。多孔質材料には、金属錯体分子が集積することで、細孔構造が形成される構造体である多孔性金属錯体が好適である。ゼオライトや活性炭等の多孔質材料を用いることも可能であるが、これらの材料は細孔構造・比表面積を精密に制御して作製することは困難である。しかし、多孔性金属錯体を用いれば、分子設計に配位結合を精密に取り入れることで、細孔構造・比表面積・形態などを人為的に設計可能であるため、二酸化炭素等のガスの吸着量を向上させることができる。
【００１８】
多孔性金属錯体は、多孔質成形体からなる金属繊維でできたウェブを非常に高い圧力を加えて金属繊維を塑性変形させて成形体を作製し、これを焼結することにより得ることができる。金属錯体の原となる金属繊維の材質は、例えば、銅、銅合金、チタン、チタン合金などが挙げられる。しかし、これらを構成する材料の種類については特に制限されるものではない。そして、どのような繊維径の金属繊維でも利用可能であるが、太い繊維径のものでは均一な変形が難しいために５００μｍ以下が好ましく、１０μｍから１５０μｍまでの間が最適な繊維径
である。
【００１９】
ここで、ガス吸着作用を持つ多孔性金属錯体の第１の例としては、ＨＯＯＣ−Ｒ−ＣＯＯＨで表されるジカルボン酸から選択される少なくとも１種の化合物と、ルテニウムの金属塩及びハロゲンイオンからなるジカルボン酸ハロゲン化金属錯体であり、安価であるとともに体積当たりのガス吸着能が高く、繰り返し特性の良好なガスの貯蔵性能を有する構造体が知られている（例えば、特開２０００−１０９４９３号公報）。
【００２０】
また、その第２の例としては、［ＣｕＸ］ｎで表され、銅イオンが４個のカルボキシル基と配位結合したユニットが上下に二つ配位したパドルホイール構造を有し、そのパドルホイールがイソフタル酸誘導体により連結されて六員環と三員環とから構成されるカゴメ構造を形成し、そのカゴメ構造が積層された結晶構造を有するものが知られている（例えば、特許第５６４６７８９号公報）。
【００２１】
このような多孔性金属錯体を密閉空間に置き、高濃度且つ高圧力の二酸化炭素ガスを当該密閉空間に供給することにより、多孔性金属錯体内に大量の二酸化炭素ガスを含有及び蓄積させるのである。
【００２２】
発熱体５は、図４に示すように偏平状の袋８の中に鉄粉を主材として反応助剤を配合した発熱剤９を装入し袋６の周側を封着８ａして構成され、酸素（空気）の供給によって発熱反応することを利用した、いわゆる使い捨てカイロと知られているものである。
【００２３】
この発熱体５が発生する熱エネルギーによって更には人体が発生する体温熱の作用によって、大量の二酸化炭素ガスが含有されている多孔性金属錯体から、二酸化炭素ガスが徐々に放出され、体内の皮下に吸収利用されることになるのである。
【００２４】
カバー３は、パッド２が収まる収納部３ａを有し、収納部の３ａの周辺の部分には粘着剤を塗布することで、皮膚に貼り付けるための接着部３ｂを設けている。パッド２は発熱体５を収納部３ａの天面に接着されてカバー３内に収められる。収納部３ａの天面までの高さ寸法は、パッド２の厚みよりも大きく設定されており、カバー３を接着部３ａで皮膚に貼り付けたとき、パッド２と皮膚との間には空間部７が形成される。この空間部７は皮膚の保湿のための隙間となる。
【００２５】
カバー３は、接着部３ｂに剥離自在に粘着するポリエチレンフィルムなどの剥離フィルム１０で収納部３ａはシールされる。よって、パッド２は、消毒や滅菌処理された後、収納部３ａ内に収められて剥離フィルム１０でシールされる。炭酸ガス治療具１は、カバー３が剥離フィルム１０でシールされた状態で、図１に示されているように、非通気性シートよりなる外装袋１１内に気密状に封入し包装されて炭酸ガスが密封保存される。
【００２６】
炭酸ガス治療具１の使用時に外装袋１１を破って取り出したときに、発熱体５は、空気中の酸素がカバー３を通過して発熱剤９と反応し、発熱するようになっている。そして、剥離フィルム１０をカバー３から剥がして、パッド２が患部と対向するように接着部３ｂで皮膚に貼り付けることで、炭酸ガス保持体４から放出される炭酸ガスが患部に経皮吸収されることになる。このとき、発熱体５から発生する温熱により患部の血管が拡がり血行が良くなることで、炭酸ガス保持体４から放出される炭酸ガスが赤血球内のヘモグロビンに結合して運ばれた酸素が患部に効果的に放出されて、治療効果が高まる。
【００２７】
上記の実施形態では、パッド２を炭酸ガス保持体４と発熱体５とで構成したが、炭酸ガス保持体４のみを含むパッド２であってもよい。
【００２８】
さらに、他の実施形態としては、炭酸ガス保持体４を、鉄を素材とする多孔性金属錯体とすると共に酸化反応への反応助剤を添加して構成することができる。このような構成のパッド２においては、炭酸ガス保持体４は、炭酸ガスの放出に加えて、自らが酸化して熱を発生することで温熱作用も有することになる。しかも、このとき酸化により細孔が劣化することで炭酸ガスが放出しやすくなり、短時間で炭酸ガスを効果的に患部に接触させることができる。この実施形態においては、炭酸ガス保持体４は自らも発熱するため、パッド２には、発熱体５を含ませなくてもよいが、発熱体５をさらに含ませることで、温熱効果が向上するのは言うまでもない。
【００２９】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００３０】
本発明は、炭酸ガスを生体の皮膚及び粘膜に直接接触させて血液循環を改善させるための炭酸ガス治療具に関し、産業上の利用可能性を有する。
【符号の説明】
【００３１】
１      炭酸ガス治療具
２      パッド
３      カバー
３ｂ    接着部
４      炭酸ガス保持体
５      発熱体
７      空間部
【図１】
2019166318.tif 000003
【図２】
2019166318.tif 000004
【図３】
2019166318.tif 000005
【図４】
2019166318.tif 000006